(57)【要約】【課題】  安定したアドレス情報の読み取りと、トラッキング、フォーカス等のアクチュエータ制御を行うことができる光ディスク記録再生装置を提供することを目的とする。【解決手段】  光ディスクの記録領域の蛇行に基づくウォブル信号を検出する信号生成回路において、光ピックアップの受光素子からの信号のウォブル信号帯域に近い周波数の低域部分のみを通過させる低域フィルター（ＬＰＦ）１５、または前記受光素子からの信号のウォブル信号周波数帯域の一定範囲の周波数のみを通過させる帯域フィルター（ＢＰＦ）１６を備え、受光素子からの信号上に重畳している記録パルスの影響をＬＰＦ１５またはＢＰＦ１６によって除去する構成とする。この構成によれば、前記記録パルスの影響がＬＰＦ１５またはＢＰＦ１６によって除去され、ノイズの影響によりアドレス情報の取得エラーが減少され、安定した記録動作が得られる。【選択図】      図１
2006040489.tif 000002
【特許請求の範囲】
【請求項１】
記録面にスパイラル状又は同心円状に記録領域が形成された光デッスクに照射されるスポット光の前記記録面からの反射光を受光する光ピックアップ中の受光素子の信号に基づいて、前記記録領域の蛇行に基づくウォブル信号を検出する光ディスク記録再生装置の信号生成回路であって、
前記受光素子の信号からウォブル信号帯域に近い周波数の低域部分のみを通過させる低域フィルター、または前記受光素子の信号からウォブル信号周波数帯域の一定範囲の周波数のみを通過させる帯域フィルターを備え、
前記受光素子からの信号上に重畳している記録パルスの影響を前記低域フィルターまたは帯域フィルターによって除去すること
を特徴とする光ディスク記録再生装置の信号生成回路。
【請求項２】
前記受光素子の信号をサンプリングするサンプルホールド回路を設け、このサンプルホールド回路の出力信号を前記低域フィルターまたは帯域フィルターへ入力し、
前記受光素子の信号から記録パワーによる変動領域をサンプルホールド回路によって除去し、前記サンプルホールド回路の信号からレベル変動による立ち下がり時と立ち上がり時のリンギング周波数を前記低域フィルターまたは帯域フィルターによって除去すること
を特徴とする請求項１に記載の光ディスク記録再生装置の信号生成回路。
【請求項３】
記録可能な光ディスクの情報記録面にスポット光を照射し前記情報記録面からの反射光を検出する光ピックアップ中の受光素子の信号に基づいて、前記光ディスクの情報面に対する光ビームの制御上の相対的な誤差を示す誤差信号を生成し出力する光ディスク記録再生装置の信号生成回路であって、
前記受光素子の信号からアクチュエータの制御を行える低域周波数のみを通過させる低域フィルター、または前記受光素子の信号からアクチュエータの制御を行える周波数帯域のみを通過させる帯域フィルターを備え、
前記受光素子からの信号上に重畳している記録パルスの影響を前記低域フィルターまたは帯域フィルターによって除去すること
を特徴とする光ディスク記録再生装置の信号生成回路。
【請求項４】
前記受光素子からの信号のサンプリングを行うサンプルホールド回路を設け、このサンプルホールド回路の出力信号を前記低域フィルターまたは帯域フィルターへ入力し、
前記受光素子の信号から記録パワーの変動領域をサンプルホールド回路によって除去し、前記サンプルホールド回路の信号からレベル変動による立ち下がり時と立ち上がり時のリンギング周波数を前記低域フィルターまたは帯域フィルターによって除去すること
を特徴とする請求項３に記載の光ディスク記録再生装置の信号生成回路。
【発明の詳細な説明】
【技術分野】
【０００１】
本発明は、光ディスク記録再生装置の信号生成回路、特にデータ記録中の信号生成回路に関するものである。
【背景技術】
【０００２】
従来、光ディスク記録再生装置では、光ピックアップのレーザー光を光ディスクの信号面に照射し、その反射光を４分割受光素子で受け、この４分割受光素子の出力をＩ−Ｖ変換した後、所定の受光素子出力の差をとることにより、例えばフォーカスエラー信号やトラッキングエラー信号のようにアクチュエータ制御に使用する誤差信号の生成、あるいはアドレス情報を取得するために使用するウォブル信号の生成を行っている。
【０００３】
光ディスク記録再生装置は、これらの誤差信号やウォブル信号を用いて記録可能な光ディスクにデータを記録したり、記録可能な光ディスクに記録されているデータを再生したりしており、誤差信号の場合であれば、位相補償回路やドライブ回路を介して光ピックアップアクチュエータのフォーカスコイルやトラッキングコイルを駆動するようにサーボ回路を形成し、またウォブル信号であれば、記録可能な光ディスクの記録時及び再生時に光ピックアップの位置制御、及びスピンドルモータの回転制御を正確に行う為に必要なアドレス情報を取得して所定の位置へ光ピックアップを移動するとともに、ウォブル信号に含まれている光ディスクの回転制御に必要な情報を用いてモーターの回転数を制御し、ピットを正確に記録している。
【０００４】
つまり、ウォブル信号によりアドレス情報が正しく検出できないと、光ディスクの回転と記録しているデータとの同期が取れなくなり、記録に失敗する可能性がある。特にＣＤ−Ｒのような書き換え不可能な記録メディアにおいては、記録に失敗するとその時点でそのＣＤ−Ｒは使えなくなる場合が多い。従って記録中の正確なアドレス情報の検出およびアクチュエータ制御は非常に重要である。
【０００５】
光ディスクの再生時にはレーザー光のパワーは一定であるが、ＣＤ−Ｒ、ＲＷ、ＤＶＤ−Ｒ、ＲＷ等の記録可能な光ディスクの記録時には、光ピックアップのレーザー光はＥＦＭ信号のピット列を作るため、レーザー光のパワーが変化する。パワーが変化すると前記サーボ回路のループゲインが変動するとともに、ウォブル信号では、信号レベルが変動することとなり安定した記録動作を行えない。従って光ディスクへデータを記録する時には、レーザー光の受光素子出力をサンプルホールドするサンプルホールド回路が用いられていた。
【０００６】
そのような従来のサンプルホールド回路を用いたウォブル信号生成回路を図６に、サーボ信号生成回路を図７に示す。また図５に、光ピックアップ受光素子部分の構成を説明するブロック図を示す。図５に示すように、光ピックアップ受光素子１は、光ディスクのピットが形成されるグルーブに位置する４分割受光素子Ａ，Ｂ，Ｃ，Ｄと、このグルーブの光ディスク半径方向両側に位置する２つの４分割受光素子（Ｅ1，Ｅ2，Ｅ3，Ｅ4），（Ｆ1，Ｆ2，Ｆ3，Ｆ4）から形成されており、光ピックアップ受光素子Ａ，Ｂ，Ｃ，Ｄの出力電流はそれぞれ、Ｉ−Ｖ変換器２で電圧出力信号ＭＡ，ＭＢ，ＭＣ，ＭＤに変換され、また光ピックアップ受光素子（Ｅ1，Ｅ2，Ｅ3，Ｅ4）（Ｆ1，Ｆ2，Ｆ3，Ｆ4）の同じ位置の出力電流（Ｅ1ｏｒＦ1），（Ｅ2ｏｒＦ2），（Ｅ3ｏｒＦ3），（Ｅ4ｏｒＦ4）はそれぞれ、Ｉ−Ｖ変換器２で電圧出力信号ＳＥ，ＳＦ，ＳＧ，ＳＨに変換されて、図６のウォブル信号生成回路と図７のサーボ信号生成回路へ出力される。
【０００７】
まず、図６及び図７に示されているサンプルホールド回路６について説明を行う。
このサンプルホールド回路６はサンプルパルス信号５がＨ（ハイ）である期間は入力端子を通して入力電圧を出力端子に出力するとともに入力電圧をコンデンサに蓄え、サンプルパルス信号５がＬ（ロー）である期間は入力端子と出力端子を遮断し、その間コンデンサの電圧を出力する回路である。
【０００８】
次に図６に示すウォブル生成回路に関して説明を行う。
前記Ｉ−Ｖ変換器２の出力信号ＭＡ，ＭＢ，ＭＣ，ＭＤは、出力信号ＭＡとＭＤが加算され、出力信号ＭＢとＭＣが加算されてそれぞれＶＧＡ回路７に入力され、各ＶＧＡ回路７にて、一定量ゲインアップ、またはゲインダウンされた後それぞれサンプルホールド回路６に入力される。上述した各サンプルホールド回路６の出力電圧はそれぞれＶＧＡ回路８によって一定電圧に変換され、これらＶＧＡ回路８の出力電圧は、誤差増幅器９により減算され、ＶＧＡ回路１０によって振幅調整された後、ＢＰＦ１１にてウォブル周波数帯域の信号のみが抽出されウォブル信号４が生成される。演算式に置き換えると、
（ＭＡ＋ＭＤ）−（ＭＢ＋ＭＣ）＝ウォブル信号４    ・・・（１）
となる。このように、誤差増幅器９により減算されて求められた信号よりＢＰＦ１１にてウォブル周波数帯域の信号のみを抽出する方法は、たとえば特許文献１に開示されている。
【０００９】
次に図７のサーボ信号生成回路１２に関して説明を行う。
前記Ｉ−Ｖ変換器２の出力信号（ＭＡ，ＭＢ，ＭＣ，ＭＤ）と（ＳＥ，ＳＦ，ＳＧ，ＳＨ）はそれぞれ、ＶＧＡ回路１３にて、一定量ゲインアップ、またはゲインダウンされた後サンプルホールド回路６に入力される。上述した各サンプルホールド回路６の出力電圧（ＳＭＡ，ＳＭＢ，ＳＭＣ，ＳＭＤ）と（ＳＳＥ，ＳＳＦ，ＳＳＧ，ＳＳＨ）はそれぞれ誤差信号生成回路１４へ入力され、次の様な演算式に当てはめられサーボ制御信号が出力される。例として、
（ＳＭＡ＋ＳＭＤ）−（ＳＭＢ＋ＳＭＣ）−（ＳＳＥ＋ＳＳＧ）−（ＳＳＦ＋ＳＳＨ）＝トラッキングエラー信号    ・・・（２）
（ＳＭＡ＋ＳＭＣ）−（ＳＭＢ＋ＳＭＤ）＋（ＳＳＥ＋ＳＳＨ）−（ＳＳＦ＋ＳＳＧ）＝フォーカスエラー信号    ・・・（３）
などがあげられる。式（２）はトラッキング制御信号演算式、式（３）はフォーカス制御信号演算式である。
【００１０】
図８（ａ）にＩ−Ｖ変換器２の出力信号、図８（ｂ）にサンプルパルス信号５、図８（ｃ）にサンプルホールド回路６の出力信号を示し、図９（ｅ）に図８（ａ）のＩ−Ｖ変換器２の出力信号の拡大図、図９（ｆ）に図８（ｂ）に示すサンプルパルス信号５の拡大図、図９（ｇ）に図８（ｃ）に示すサンプルホールド回路６の出力信号の拡大図を示す。
【特許文献１】特開２００２−１０００４１号公報
【発明の開示】
【発明が解決しようとする課題】
【００１１】
図９（ｅ）に示すように、Ｉ−Ｖ変換器２の立ち上がり、及び立ち下がり後にはリンギングｈを生じる。従って、上記した従来のサンプルホールド回路６のサンプルホールド後の信号にはリンギングｈを含む信号を出力するため、ウォブル信号４及び各制御信号にノイズｉが含まれることなる。また、リンギングｈ部分を含まない形でサンプリングを行おうとするとサンプリングできる区間ｊ領域が狭くなり、実信号との差が大きくなり誤作動する恐れが高くなる。
【００１２】
実際に、２４倍速以上の記録のような高倍速記録では、記録するための照射パワーも大きくなり、それに添ってリンギング区間ｋも増加する。従ってサンプル区間ｊが狭くなるとともに記録中のサーボ信号にノイズがのり、記録動作が安定しないという問題があった。また、ウォブル信号４の場合も制御信号と同様のことがいえ、ノイズｉの影響によりアドレス情報の取得エラーが増加するという問題があった。
【００１３】
そこで、本発明は、安定したアドレス情報の読み取りと、トラッキング、フォーカス等のアクチュエータ制御を行うことができる光ディスク記録再生装置の信号生成回路を提供することを目的とするものである。
【課題を解決するための手段】
【００１４】
前述した目的を達成するために、本発明のうち請求項１に記載の発明（光ディスク記録再生装置の信号生成回路）は、記録面にスパイラル状又は同心円状に記録領域が形成された光ディスクに照射されるスポット光の前記記録面からの反射光を受光する光ピックアップ中の受光素子からの信号に基づいて、前記記録領域の蛇行に基づくウォブル信号を検出する光ディスク記録再生装置の信号生成回路であって、
前記受光素子の信号からウォブル信号帯域に近い周波数の低域部分のみを通過させる低域フィルター、または前記受光素子の信号からウォブル信号周波数帯域の一定範囲の周波数のみを通過させる帯域フィルターを備え、前記受光素子からの信号上に重畳している記録パルスの影響を前記低域フィルターまたは帯域フィルターによって除去することを特徴とするものである。
【００１５】
上記構成によれば、ウォブル信号を検出するに際して、受光素子からの信号上に重畳している記録パルスの影響が低域フィルターまたは帯域フィルターによって除去され、ノイズの影響によりアドレス情報の取得エラーが減少され、安定した記録動作が得られる。
【００１６】
また請求項２に記載の発明は、前記請求項１に記載の発明であって、前記受光素子からの信号をサンプリングするサンプルホールド回路を設け、このサンプルホールド回路の出力信号を前記低域フィルターまたは帯域フィルターへ入力し、前記受光素子の信号から記録パワーによる変動領域をサンプルホールド回路によって除去し、前記サンプルホールド回路の信号からレベル変動による立ち下がり時と立ち上がり時のリンギング周波数を前記低域フィルターまたは帯域フィルターによって除去することを特徴とするものである。
【００１７】
上記構成によれば、記録パワーによる変動は受光素子の信号からサンプルホールド回路によって除去され、サンプルホールド回路の信号からレベル変動による立ち下がり時と立ち上がり時のリンギング周波数は前記低域フィルターまたは帯域フィルターによって除去するため、ノイズの影響によるアドレス情報の取得エラーが減少され、安定した記録動作が得られる。
【００１８】
また請求項３に記載の発明は、記録可能な光ディスクの情報記録面にスポット光を照射し前記情報記録面からの反射光を検出する光ピックアップ中の受光素子の信号に基づいて、前記光ディスクの情報面に対する光ビームの制御上の相対的な誤差を示す誤差信号を生成し出力する光ディスク記録再生装置の信号生成回路であって、
前記受光素子の信号からアクチュエータの制御を行える低域周波数のみを通過させる低域フィルター、または前記受光素子の信号からアクチュエータの制御を行える周波数帯域のみを通過させる帯域フィルターを備え、前記受光素子からの信号上に重畳している記録パルスの影響を前記低域フィルターまたは帯域フィルターによって除去することを特徴とするものである。
【００１９】
上記構成によれば、光ディスクの情報面に対する光ビームの制御上の相対的な誤差を示す誤差信号を生成するに際して、記録中のサーボ信号に重畳するノイズはカットされ、安定した記録動作が得られる。
【００２０】
また請求項４に記載の発明は、前記請求項３に記載の発明であって、前記受光素子の信号からサンプリングを行うサンプルホールド回路を設け、このサンプルホールド回路の出力信号を前記低域フィルターまたは帯域フィルターへ入力し、前記受光素子の信号から記録パワーによる変動をサンプルホールド回路によって除去し、前記サンプルホールド回路の信号からレベル変動による立ち下がり時と立ち上がり時のリンギング周波数を前記低域フィルターまたは帯域フィルターによって除去することを特徴とするものである。
【００２１】
上記構成によれば、記録パワーによる変動は受光素子の信号からサンプルホールド回路によって除去され、前記サンプルホールド回路の信号からレベル変動による立ち下がり時と立ち上がり時のリンギング周波数は低域フィルターまたは帯域フィルターによって除去するため、記録中のサーボ信号に重畳するノイズはカットされ、安定した記録動作が得られる。
【発明の効果】
【００２２】
本発明の光ディスク記録再生装置の信号生成回路は、上記構成を有し、アドレス情報の取得エラーを減少させ、またノイズのないサーボ信号を生成できるため、安定した記録動作を得ることができるという効果を有している。
【発明を実施するための最良の形態】
【００２３】
本発明では、受光素子１の記録パワーの出力変動によるＩ−Ｖ変換器２の出力信号のレベル変動、及び立ち下がり時と立ち上がり時のリンギング周波数に近い高周波部分と、サーボ制御、ウォブル信号の帯域に近い低周波部分とに分けて考え、ウォブル信号、トラッキングエラー、フォーカスエラー等のアクチュエータ制御信号から、レベル変動、及び立ち下がり時と立ち上がり時のリンギングを除いて安定した記録動作を行う。
【００２４】
以下、本発明の実施の形態を、図面を参照しながら説明する。なお、光ディスクには、記録面にスパイラル状、又は同心円状に記録領域が形成され、前記記録領域は蛇行しているものとする。
［実施の形態１］
図１は本発明の実施の形態１における光ディスク記録再生装置のウォブル信号生成回路（信号生成回路の一例）のブロック図であり、有機色素を用いた光ディスクの記録に適用した場合の低域フィルター（ｌｏｗ  ｐａｓｓ  ｆｉｌｔｅｒ：以下、ＬＰＦと記す）におけるウォブル信号生成回路の構成を示す。なお、図６に示す従来のウォブル信号生成回路と同一の構成には同一の符号を付している。
【００２５】
図１に示すように、図５のＩ−Ｖ変換器２の出力信号ＭＡ，ＭＢ，ＭＣ，ＭＤは、出力信号ＭＡとＭＤが加算され、出力信号ＭＢとＭＣが加算されてそれぞれＶＧＡ回路７に入力され、各ＶＧＡ回路７にて、振幅を調整された後（一定量ゲインアップ、またはゲインダウンされた後）それぞれ、ウォブル信号の帯域に近い低周波部分のみを通過させるＬＰＦ１５に入力される。前記ＬＰＦ１５によりウォブル信号の帯域に近い低周波部分のみを通過させた信号は、それぞれＶＧＡ回路８によって一定振幅に調整され、これらＶＧＡ回路８からの出力信号は、誤差増幅器９により減算され、ＶＧＡ回路１０によって振幅調整された後、ＢＰＦ１１にてウォブル周波数帯域の信号のみが抽出されウォブル信号４が生成される。演算式に置き換えると、上記式（１）、すなわち
（ＭＡ＋ＭＤ）−（ＭＢ＋ＭＣ）＝ウォブル信号４
となる。
【００２６】
記録されるＥＦＭ信号の周波数帯域は、１倍速では３Ｔ：約１．４４ＭＨ〜１１Ｔ：約３９３ＫＨｚ（クロックパルス周期）の間となり、最も遅い周波数でも１１Ｔ記録時の約３９３ＫＨｚとなる。ウォブル信号の周波数帯域は、１倍速では１Ｔ：約２１．０５ＫＨｚ〜３Ｔ：約２３．０５ＫＨｚの間となり、最も早い周波数でも１Ｔ再生時の約２１．０５ＫＨｚとなる。このように記録されるＥＦＭ信号周波数と再生されるウォブル信号周波数には差があることが分かる。これを利用し、ウォブル信号の周波数帯域を含み、ＥＦＭ信号の周波数帯域中最も遅い周波数（３９３ＫＨｚ）未満の周波数のみを通過させるＬＰＦ１５、例えば２００ＫＨｚ以下の周波数のみを通過させるＬＰＦ１５とすると、記録しているために発生するＥＦＭ信号に同期した受光素子出力の記録パワーによる変動はもちろん、前記記録パワーによる変動よりも周波数の高いＩ−Ｖ変換器２の出力信号のレベル変動による立ち下がり時と立ち上がり時のリンギング周波数に関してもカットされた信号を出力することができＶＧＡ回路８に入力される時には記録パルスに影響されないノイズのない信号が入力されるため、アドレス情報の取得エラーを減少させることができ、安定した記録動作を提供することができる。
【００２７】
なお、本実施の形態１において使用されているＬＰＦ１５に代えて、ウォブル信号周波数帯域の一定範囲の周波数のみを通過させる帯域フィルター（ｂａｎｄ  ｐａｓｓ  ｆｉｌｔｅｒ：以下、ＢＰＦと記す）１６を使用することもできる。ＥＦＭ信号の周波数帯域中最も遅い周波数（３９３ＫＨｚ）未満で、ウォブル信号の周波数帯域を通過させるＢＰＦ１６、例えば３０ＫＨｚ〜１０ＫＨｚの周波数帯域のみを通過させるＢＰＦ１６とすると、記録しているために発生するＥＦＭ信号に同期した受光素子出力の記録パワーによる変動はもちろん、前記記録パワーによる変動よりも周波数の高いＩ−Ｖ変換器２の出力信号のレベル変動による立ち下がり時と立ち上がり時のリンギング周波数に関してもカットされた信号を出力することができ、ＶＧＡ回路８に入力される時には記録パルスに影響されないノイズのない信号が入力されるため、アドレス情報の取得エラーを減少させることができ、安定した記録動作を提供することができる。
［実施の形態２］
図２は本発明の実施の形態２における光ディスク記録再生装置のサーボ信号生成回路（信号生成回路の一例）のブロック図であり、記録可能な光ディスクへ記録した場合を示す。なお、図７に示す従来のサーボ信号生成回路と同一の構成には同一の符号を付している。
【００２８】
図５のＩ−Ｖ変換器２の出力信号（ＭＡ，ＭＢ，ＭＣ，ＭＤ）と（ＳＥ，ＳＦ，ＳＧ，ＳＨ）はそれぞれ、ＶＧＡ回路１３にて、振幅を調整された後（一定量ゲインアップ、またはゲインダウンされた後）、アクチュエータの制御を行える低域周波数のみを通過させるＬＰＦ１８に入力される。これらＬＰＦ１８の出力信号（ＳＭＡ，ＳＭＢ，ＳＭＣ，ＳＭＤ）と（ＳＳＥ，ＳＳＦ，ＳＳＧ，ＳＳＨ）はそれぞれ、光ディスクの情報面に対する光ビームの制御上の相対的な誤差を示す誤差信号として、誤差信号生成回路１４へ入力され、上記式（２），（３）等で示すサーボ制御信号（トラッキングエラー信号、フォーカスエラー信号等）が形成される。
【００２９】
記録されるＥＦＭ信号の周波数帯域は、１倍速では３Ｔ：約１．４４ＭＨ〜１１Ｔ：約３９３ＫＨｚ（クロックパルス周期）の間となり、最も遅い周波数でも１１Ｔ記録時の約３９３ＫＨｚとなる。標準的な光ディスクドライブでアクチュエータの制御を行える周波数帯域は約１００ＫＨｚ前後である。つまりアクチュエータ制御信号自体も１００ＫＨｚ前後迄の周波数が正常に出力されていればアクチュエータを制御するには問題ない、前記の通り記録されるＥＦＭ信号周波数とアクチュエータ制御周波数には差があることから、これを利用し、アクチュエータの制御を行える周波数帯域を含み、ＥＦＭ信号の周波数帯域中最も遅い周波数（３９３ＫＨｚ）未満の低域周波数のみを通過させるＬＰＦ１８、例えば２００ＫＨｚ以下の低域周波数のみを通過させるＬＰＦ１８だとすると、記録しているために発生するＥＦＭ信号に同期した受光素子出力の記録パワーによる変動はもちろん、前記記録パワーによる変動よりも周波数の高い出力信号のレベル変動によるＩ−Ｖ変換器２の立ち下がり時と立ち上がり時のリンギング周波数に関してもカットされた信号を出力することができ、誤差信号生成回路１４に入力される時には記録パルスに影響されないノイズのない信号が入力されるのでサーボ制御信号（アクチュエータ制御信号）にノイズが重畳することはなく、ノイズのないサーボ信号を生成できるため、安定した記録動作を提供することができる。
【００３０】
なお、本実施の形態２において使用されているＬＰＦ１８に代えて、アクチュエータの制御を行える周波数帯域のみを通過させるＢＰＦ１７を使用することもできる。ＥＦＭ信号の周波数帯域中最も遅い周波数（３９３ＫＨｚ）未満で、アクチュエータの制御を行える周波数帯域を通過させるＢＰＦ１７、例えば１０ＫＨｚ〜１２０Ｈｚの周波数帯域のみを通過させるＢＰＦ１７とすると、記録しているために発生するＥＦＭ信号に同期した受光素子からの出力変動はもちろん、前記受光素子からの出力変動よりも周波数の高いＩ−Ｖ変換器２の出力信号のレベル変動による立ち下がり時と立ち上がり時のリンギング周波数に関してもカットされた信号を出力することができ、誤差信号生成回路１４に入力される時には記録パルスに影響されないノイズのない信号が入力されるため、ノイズのないサーボ信号を生成でき安定した記録動作を提供することができる。
［実施の形態３］
以下、本発明の実施の形態３を図３に基づいて説明する。この実施の形態３は、実施の形態１におけるＶＧＡ７とＬＰＦ１５間に、図６に示すサンプルホールド回路６を挿入した構成としている。
【００３１】
この構成によれば、記録しているために発生するＥＦＭ信号に同期した受光素子出力の記録パワーによる変動領域がサンプルホールド回路６で取り除かれ、Ｉ−Ｖ変換器２の出力信号のレベル変動による立ち下がり時と立ち上がり時のリンギング周波数に関しては、サンプルホールド回路６の信号からＬＰＦ１５にて取り除かれる。つまりＶＧＡ回路８に入力される時には記録パルスに影響されないノイズのない信号が入力されるため、アドレス情報の取得エラーを減少させることができ、安定した記録動作を提供することができる。
【００３２】
なお、本実施の形態３において使用されているＬＰＦ１５に代えて、ＢＰＦ１６を使用することもできる。この構成によれば、同様に、記録しているために発生するＥＦＭ信号に同期した受光素子出力の記録パワーによる変動がサンプルホールド回路６で取り除かれ、Ｉ−Ｖ変換器２の出力信号のレベル変動及び立ち下がり時と立ち上がり時のリンギング周波数に関しては、ＢＰＦ１６にて取り除かれる。つまりＶＧＡ回路８に入力される時には記録パルスに影響されないノイズのない信号が入力されるため、アドレス情報の取得エラーを減少させることができ、安定した記録動作を提供することができる。
［実施の形態４］
以下、本発明の実施の形態４を、図４に基づいて説明する。この実施の形態４は、実施の形態２におけるＶＧＡ１３とＬＰＦ１８間に、図７に示すサンプルホールド回路６を挿入した構成としている。
【００３３】
この構成によれば、記録中のＥＦＭ信号に同期した受光素子出力の記録パワーによる変動領域がサンプルホールド回路６で取り除かれ、Ｉ−Ｖ変換器２の出力信号のレベル変動による立ち下がり時と立ち上がり時のリンギング周波数に関しては、サンプルホールド回路６の信号からＬＰＦ１８にて取り除かれるため、誤差信号生成回路１４に入力される時には記録パルスに影響されないノイズのない信号が入力されるのでサーボ信号にノイズが重畳することはなく、ノイズのないサーボ信号を生成でき、安定した記録動作を提供することができる。
【００３４】
なお、本実施の形態４において使用されているＬＰＦ１８に代えて、ＢＰＦ１７を使用することもできる。この構成によれば、同様に、記録中のＥＦＭ信号に同期した受光素子出力の記録パワーによる変動がサンプルホールド回路６で取り除かれ、Ｉ−Ｖ変換器２の出力信号のレベル変動による立ち下がり時と立ち上がり時のリンギング周波数に関しては、ＢＰＦ１７にて取り除かれるため、つまり誤差信号生成回路１４に入力される時には記録パルスに影響されないノイズのない信号が入力されるのでサーボ信号にノイズが重畳することがなく、ノイズのないサーボ信号を生成でき、安定した記録動作を提供することができる。
【００３５】
なお、本実施の形態では、記録面にスパイラル状又は同心円状に記録領域が形成され、この記録領域が蛇行している光ディスクを対象としているが、本実施の形態２と本実施の形態４においてはこのようなウォブルが形成された光ディスクに限ることはなく、データを記録可能な光ディスクであればよい。
【産業上の利用可能性】
【００３６】
本発明にかかる光ディスク記録再生装置の信号生成回路は、アドレス情報の取得エラーを減少させ、またノイズのないサーボ信号を生成できるため、安定した記録動作を得ることができるという効果を有し、ＤＶＤやＣＤにデータやアドレスを記録する技術分野等として有用である。
【図面の簡単な説明】
【００３７】
【図１】本発明の実施の形態１における光ディスク記録再生装置の信号生成回路において、ウォブル信号生成回路を示すブロック図である。
【図２】本発明の実施の形態２における光ディスク記録再生装置の信号生成回路において、サーボ信号生成回路を示すブロック図である。
【図３】本発明の実施の形態３における光ディスク記録再生装置の信号生成回路において、ウォブル信号生成回路を示すブロック図である。
【図４】本発明の実施の形態４における光ディスク記録再生装置の信号生成回路において、サーボ信号生成回路を示すブロック図である。
【図５】光ピックアップ受光素子部分の構成を説明するためのブロック図である。
【図６】ウォブル信号生成回路に関する課題を説明するためのブロック図である。
【図７】サーボ信号生成回路に関する課題を説明するためのブロック図である。
【図８】ウォブル生成回路及びサーボ信号生成回路の信号を示す信号波形図である。
【図９】ウォブル信号生成回路及びサーボ信号生成回路に関する課題を説明する為の信号波形図である。
【符号の説明】
【００３８】
１    光ピックアップ受光素子
２    Ｉ−Ｖ変換器
４    ウォブル信号
５    サンプルパルス信号
６    サンプルホールド回路
７    ＶＧＡ回路（サンプルホールド前：ウォブル生成回路）
８    ＶＧＡ回路（サンプルホールド後：ウォブル生成回路）
９    誤差増幅器
１０  ＶＧＡ回路（誤差増幅器後）
１１  ＢＰＦ（誤差増幅器後の帯域フィルター）
１３  ＶＧＡ回路（サンプルホールド前：サーボ信号生成回路）
１４  誤差信号生成回路
１５  ＬＰＦ（低域フィルター：ウォブル信号生成回路）
１６  ＢＰＦ（帯域フィルター：ウォブル信号生成回路）
１７  ＢＰＦ（帯域フィルター：サーボ信号生成回路）
１８  ＬＰＦ（低域フィルター：サーボ信号生成回路）
【図１】
2006040489.tif 000003
【図２】
2006040489.tif 000004
【図３】
2006040489.tif 000005
【図４】
2006040489.tif 000006
【図５】
2006040489.tif 000007
【図６】
2006040489.tif 000008
【図７】
2006040489.tif 000009
【図８】
2006040489.tif 000010
【図９】
2006040489.tif 000011